(57)【要約】【課題】本発明は、携帯端末装置と置き台とを含み、携帯端末装置から増幅部を制御する制御信号を置き台に出力する音響装置を提供することを課題とする。【解決手段】本発明の音響装置１は、グランド端子と制御信号出力端子を有する携帯電話機２と、グランド受け端子と制御信号入力端子とを有するクレードル３とを含み、携帯電話機２がクレードル３に載置される際、グランド端子とグランド受け端子との電気的接続が、制御信号出力端子と制御信号入力端子との電気的接続よりも早くなされるよう構成される。【選択図】図１
2008085833.tif 000002
【特許請求の範囲】
【請求項１】
入力された音響信号を増幅する増幅部と、前記増幅部から出力された増幅音響信号を外方に出力するスピーカとを備える置き台と、前記置き台に載置され、前記増幅部に入力される音響信号と、前記増幅部を制御する制御信号とを前記置き台に出力する携帯端末装置と、を含む音響装置であって、
前記携帯端末装置は、前記音響信号を出力する音響信号出力端子と、前記制御信号を出力する制御信号出力端子と、グランド端子と、を備え、
前記置き台は、前記音響信号出力端子と電気的に接続される音響信号入力端子と、前記制御信号出力端子と電気的に接続される制御信号入力端子と、前記グランド端子と電気的に接続されるグランド受け端子と、を備え、
前記携帯端末装置が前記置き台に載置される際、前記グランド端子と前記グランド受け端子との電気的接続が、前記制御信号出力端子と前記制御信号入力端子との電気的接続よりも先に接続されるよう構成される音響装置。
【請求項２】
前記置き台は、前記携帯端末装置における載置面を底面で受ける凹状の載置部を備え、
前記音響入力端子と、前記制御信号入力端子と、前記グランド受け端子とは、前記載置部における前記底面から同じ高さの所定位置にそれぞれ配置され、
前記グランド受け端子の先端は、前記制御信号入力端子の先端より突出している請求項１に記載の音響装置。
【請求項３】
前記置き台は、前記携帯端末装置における載置面を底面で受ける凹状の載置部を備え、
前記音響入力端子と、前記制御信号入力端子と、前記グランド受け端子とは、前記載置部における前記底面から同じ高さの所定位置にそれぞれ配置され、
前記音響信号出力端子と、前記制御信号出力端子と、前記グランド端子とは、前記載置面と連続する面における前記載置面から同じ距離の所定位置にそれぞれ配置されると共に、前記グランド端子の先端が前記制御信号出力端子の先端より突出する請求項１又は２に記載の音響装置。
【請求項４】
前記置き台は、前記携帯端末装置における載置面を底面で受ける凹状の載置部を備え、
前記音響入力端子と、前記制御信号入力端子と、前記グランド受け端子とは、前記載置部における側面にそれぞれ配置され、
前記グランド受け端子の前記底面からの高さは、前記制御信号入力端子の前記底面からの高さよりも高い請求項１に記載の音響装置。
【請求項５】
前記置き台は、前記携帯端末装置における載置面を底面で受ける凹状の載置部を備え、
前記音響入力端子と、前記制御信号入力端子と、前記グランド受け端子とは、前記載置部における側面にそれぞれ配置され、
音響信号出力端子と、前記制御信号出力端子と、前記グランド端子とは、前記載置面と連続する面にそれぞれ配置され、
前記グランド端子の前記載置面からの距離は、前記制御信号出力端子の前記載置面からの距離よりも短い請求項１又は４に記載の音響装置。
【請求項６】
請求項１から５のいずれか１項の音響装置であって、
前記携帯端末装置は、二次電池への充電端子を備えると共に、
前記置き台は前記充電端子と電気的に接続される給電端子とを備える音響装置。
【請求項７】
請求項１から６のいずれか１項の音響装置であって、
携帯端末装置は、制御部と、再生部と、スピーカと、を備え、
前記携帯端末装置が前記置き台に戴置された場合、前記再生部は、低音域の音響信号を前記音響信号出力端子に出力させて前記置き台のスピーカより音波として出力させると共に、高音域及び中音域の音響信号を前記携帯端末装置のスピーカより外方に出力させる音響装置。
【請求項８】
前記携帯端末装置における載置面を底面で受ける凹状の載置部と、
前記載置部における前記底面から同じ高さの所定位置にそれぞれ配置される前記携帯端末装置の音響信号出力端子と電気的に接続される音響信号入力端子と、前記携帯端末装置の制御信号出力端子と電気的に接続される制御信号入力端子と、前記携帯端末装置のグランド端子と電気的に接続されるグランド受け端子と、をそれぞれ備え、
前記グランド受け端子の先端は、前記制御信号入力端子の先端より突出する置き台。
【請求項９】
前記グランド受け端子の先端は、前記音響信号入力端子の先端より突出する請求項８に記載の置き台。
【請求項１０】
前記携帯端末装置における載置面を底面で受ける凹状の載置部と、
前記載置部における側面にそれぞれ配置される前記携帯端末装置の音響信号出力端子と電気的に接続される音響信号入力端子と、前記携帯端末装置の制御信号出力端子と電気的に接続される制御信号入力端子と、前記携帯端末装置のグランド端子と電気的に接続されるグランド受け端子と、をそれぞれ備え、
前記グランド受け端子の前記底面からの高さは、前記制御信号入力端子の前記底面からの高さよりも高い置き台。
【請求項１１】
前記グランド受け端子の前記底面からの高さは、前記音響信号入力端子の前記底面からの高さよりも高い請求項１０に記載の置き台。
【請求項１２】
前記音響信号を出力する音響信号出力端子と、前記制御信号を出力する制御信号出力端子と、グランド端子と、を備え、
音響信号出力端子と、前記制御信号出力端子と、前記グランド端子とは、置き台に載置される載置面と連続する面における前記載置面から同じ距離の所定位置にそれぞれ配置されると共に、前記グランド端子の先端が前記制御信号出力端子の先端より突出する携帯端末装置。
【請求項１３】
前記音響信号を出力する音響信号出力端子と、前記制御信号を出力する制御信号出力端子と、グランド端子と、を備え、
音響信号出力端子と、前記制御信号出力端子と、前記グランド端子とは、置き台に載置される載置面と連続する面に配置され、
前記グランド端子の前記載置面からの距離は、前記制御信号出力端子の前記載置面からの距離よりも短い携帯端末装置。
【発明の詳細な説明】
【技術分野】
【０００１】
本発明は、音響装置、置き台及び携帯電話等の携帯端末装置に関する。
【背景技術】
【０００２】
従来より、携帯端末装置である携帯電話機のバッテリーを充電する際には、携帯電話機を置き台に差し込むようにして充電している。ところで、近年、携帯電話機を用いた音楽配信サービスの発達等により、携帯電話機で音楽を再生する機会が増えている。そして、携帯時に携帯電話機で音楽をスピーカ再生することに加え、充電した状態でもスピーカ再生することが求められている。
【０００３】
これに対し、携帯電話機の二次電池を充電するための充電機能を備えた携帯電話機の置き台であって、携帯電話機からの音声信号を増幅する増幅部と、該増幅部で増幅された音声信号を外方へ放音するためのスピーカを備える置き台が提案されている（例えば、特許文献１参照）。
【特許文献１】特開２００２―１０１１７７号公報
【発明の開示】
【発明が解決しようとする課題】
【０００４】
特許文献１の置き台では、アダプターから増幅部に電力供給する構成であり、常に増幅部に電力が供給されるため、電力を無駄に消費するといった課題がある。この課題を防止するためには、置き台に制御回路を別途設ける必要があるが、小型化が要求される置き台において新たな部品を配置することは好ましくなく、また、置き台が高価になるといった課題もあった。
【０００５】
更には、グランド端子と制御信号出力端子を有する携帯端末装置が、グランド受け端子と制御信号入力端子とを有する置き台に載置される際、グランド端子とグランド受け端子との電気的接続が、制御信号出力端子と制御信号入力端子との電気的接続よりも早くなされるよう構成される音響装置を提供することを課題とする。
【課題を解決するための手段】
【０００６】
本発明は、入力された音響信号を増幅する増幅部と、前記増幅部から出力された増幅音響信号を外方に出力するスピーカとを備える置き台と、前記置き台に載置され、前記増幅部に入力される音響信号と、前記増幅部を制御する制御信号とを前記置き台に出力する携帯端末装置と、を含む音響装置であって、前記携帯端末装置は、前記音響信号を出力する音響信号出力端子と、前記制御信号を出力する制御信号出力端子と、グランド端子と、を備え、前記置き台は、前記音響信号出力端子と電気的に接続される音響信号入力端子と、前記制御信号出力端子と電気的に接続される制御信号入力端子と、前記グランド端子と電気的に接続されるグランド受け端子と、を備え、前記携帯端末装置が前記置き台に載置される際、前記グランド端子と前記グランド受け端子との電気的接続が、前記制御信号出力端子と前記制御信号入力端子との電気的接続よりも先に接続されるよう構成される音響装置に関する。
【０００７】
前記置き台は、前記携帯端末装置における載置面を底面で受ける凹状の載置部を備え、前記音響入力端子と、前記制御信号入力端子と、前記グランド受け端子とは、前記載置部における前記底面から同じ高さの所定位置にそれぞれ配置され、前記グランド受け端子の先端は、前記制御信号入力端子の先端より突出していることが好ましい。
【０００８】
前記置き台は、前記携帯端末装置における載置面を底面で受ける凹状の載置部を備え、前記音響入力端子と、前記制御信号入力端子と、前記グランド受け端子とは、前記載置部における前記底面から同じ高さの所定位置にそれぞれ配置され、前記音響信号出力端子と、前記制御信号出力端子と、前記グランド端子とは、前記載置面と連続する面における前記載置面から同じ距離の所定位置にそれぞれ配置されると共に、前記グランド端子の先端が前記制御信号出力端子の先端より突出することが好ましい。
【０００９】
前記置き台は、前記携帯端末装置における載置面を底面で受ける凹状の載置部を備え、前記音響入力端子と、前記制御信号入力端子と、前記グランド受け端子とは、前記載置部における側面にそれぞれ配置され、前記グランド受け端子の前記底面からの高さは、前記制御信号入力端子の前記底面からの高さよりも高いことが好ましい。
【００１０】
前記置き台は、前記携帯端末装置における載置面を底面で受ける凹状の載置部を備え、前記音響入力端子と、前記制御信号入力端子と、前記グランド受け端子とは、前記載置部における側面にそれぞれ配置され、音響信号出力端子と、前記制御信号出力端子と、前記グランド端子とは、前記載置面と連続する面にそれぞれ配置され、前記グランド端子の前記載置面からの距離は、前記制御信号出力端子の前記載置面からの距離よりも短いことが好ましい。
【００１１】
前記携帯端末装置は、二次電池への充電端子を備えると共に、前記置き台は前記充電端子と電気的に接続される給電端子とを備えることが好ましい。
【００１２】
携帯端末装置は、制御部と、再生部と、スピーカと、を備え、前記携帯端末装置が前記置き台に戴置された場合、前記再生部は、低音域の音響信号を前記音響信号出力端子に出力させて前記置き台のスピーカより音波として出力させると共に、高音域及び中音域の音響信号を前記携帯端末装置のスピーカより外方に出力させることが好ましい。
【００１３】
本発明は、前記携帯端末装置における載置面を底面で受ける凹状の載置部と、前記載置部における前記底面から同じ高さの所定位置にそれぞれ配置される前記携帯端末装置の音響信号出力端子と電気的に接続される音響信号入力端子と、前記携帯端末装置の制御信号出力端子と電気的に接続される制御信号入力端子と、前記携帯端末装置のグランド端子と電気的に接続されるグランド受け端子と、をそれぞれ備え、前記グランド受け端子の先端は、前記制御信号入力端子の先端より突出する置き台に関する。
【００１４】
前記グランド受け端子の先端は、前記音響信号入力端子の先端より突出することが好ましい。
【００１５】
本発明は、前記携帯端末装置における載置面を底面で受ける凹状の載置部と、前記載置部における側面にそれぞれ配置される前記携帯端末装置の音響信号出力端子と電気的に接続される音響信号入力端子と、前記携帯端末装置の制御信号出力端子と電気的に接続される制御信号入力端子と、前記携帯端末装置のグランド端子と電気的に接続されるグランド受け端子と、をそれぞれ備え、前記グランド受け端子の前記底面からの高さは、前記制御信号入力端子の前記底面からの高さよりも高い置き台に関する。
【００１６】
前記グランド受け端子の前記底面からの高さは、前記音響信号入力端子の前記底面からの高さよりも高いことが好ましい。
【００１７】
本発明は、前記音響信号を出力する音響信号出力端子と、前記制御信号を出力する制御信号出力端子と、グランド端子と、を備え、音響信号出力端子と、前記制御信号出力端子と、前記グランド端子とは、置き台に載置される載置面と連続する面における前記載置面から同じ距離の所定位置にそれぞれ配置されると共に、前記グランド端子の先端が前記制御信号出力端子の先端より突出する携帯端末装置に関する。
【００１８】
本発明は、前記音響信号を出力する音響信号出力端子と、前記制御信号を出力する制御信号出力端子と、グランド端子と、を備え、音響信号出力端子と、前記制御信号出力端子と、前記グランド端子とは、置き台に載置される載置面と連続する面に配置され、前記グランド端子の前記載置面からの距離は、前記制御信号出力端子の前記載置面からの距離よりも短い携帯端末装置に関する。
【００１９】
なお、本発明において、制御信号入力端子、グランド受け端子、音響信号入力端子の各端子から載置部における底面までの高さや距離の算定にあたっては、例えば、底面が湾曲しているような場合、湾曲部の頂点に接し、水平面に平行な平面を底面として仮定し、この平面から各端子までの高さや距離のことをいう。
【００２０】
また、本発明において、制御信号出力端子、グランド端子、音響信号出力端子の各端子から載置面までの距離の算定にあたっては、例えば、載置面が湾曲しているような場合、湾曲部の頂点に接し、水平面に平行な平面を載置面として仮定し、この載置面から各端子までの距離のことをいう。
【発明の効果】
【００２１】
本発明によれば、携帯端末装置と置き台とを含み、携帯端末装置から増幅部を制御する制御信号を置き台に出力する音響装置を提供することができる。
【００２２】
また、置き台の増幅部は、携帯端末装置の制御信号出力端子から出力される制御信号に基づいて携帯端末装置が置き台に載置されることで駆動させることができるため、無駄な消費電力を低減できる。
【００２３】
更には、グランド端子と制御信号出力端子を有する携帯端末装置が、グランド受け端子と制御信号入力端子とを有する置き台に載置される際、グランド端子とグランド受け端子との電気的接続が、制御信号出力端子と制御信号入力端子との電気的接続よりも早くなされるよう構成される音響装置を提供することができる。よって、携帯端末装置を置き台へ戴置する際におけるスピーカからのノイズ発生を抑制できる。
【発明を実施するための最良の形態】
【００２４】
以下、本発明の実施形態を、図面を参照して説明する。なお、以下、携帯端末装置として携帯電話機について説明するが、本発明はこれに限定されるものではなく、情報携帯端末（ＰＤＡ）、ノートパソコン、デジタルカメラ、小型オーディオプレーヤー等の他の携帯端末装置であってもよい。また、置き台として、ドーム型で上面に携帯端末装置を載置するクレードルについて説明するが、本発明はこれに限定されるものではなく、他の形状や、携帯端末装置を載置する態様が異なるクレードル等であってもよい。
【００２５】
図１は、本発明の一実施形態における音響装置１の外観斜視図を示す。図１に示すように、本実施形態における音響装置１は、携帯端末装置としての折り畳み型の携帯電話機２と、ドーム型の置き台としてのクレードル３とを備える。折り畳まれた状態の携帯電話機２は、クレードル３の上面に形成される載置部３１に挿入されるようにして載置される。
【００２６】
図２は、携帯電話機２を開いた状態の外観斜視図を示す。図３は、携帯電話機２を折り畳んだ状態の外観斜視図を示す。図２に示すように、携帯電話機２は、平面形状が矩形状をした操作部側筐体２１と、平面形状が矩形状をした表示部側筐体２２と、を備える。操作部側筐体２１は、折り畳んだ状態で表示部側筐体２２と向かい合う面である内側面２１ａに配置される内側操作ボタン群２４と、携帯電話機２の使用者が通話時に発した音声が入力される音声入力部２６と、リンガ音や音楽情報等を出力するためのスピーカ（図７のスピーカ２５０）を備える。内側操作ボタン群２４は、各種設定や電話帳機能やメール機能等の各種機能を作動させるための機能設定操作ボタン２４ａと、電話番号の数字やメール等の文字等を入力するための入力操作ボタン２４ｂと、各種操作における決定やスクロール等を行うと共に、再生する楽曲の選択や決定を行う決定操作ボタン２４ｃと、から構成される。
【００２７】
また、操作部側筐体２１の内側面２１ａとは反対側の面である外側面２１ｂに配置される不図示のバッテリと、不図示の携帯電話機側端子群とを備える。携帯電話機側端子群は、音響信号を出力する音響信号出力端子と、後述するクレードル３の増幅部を制御する制御信号を出力する制御信号出力端子と、充電端子と、グランド端子と、から構成される。
【００２８】
表示部側筐体２２は、折り畳んだ状態で操作部側筐体２１と向かい合う面である内側面２２ａに配置される、各種情報を表示するための液晶ディスプレィや有機ＥＬディスプレィ等の内側表示部２７と、通話の相手側の音声を出力する音声出力部２９と、を備える。
【００２９】
また、操作部側筐体２１の上端部と表示部側筐体２２の下端部とは、ヒンジ機構２３を介して開閉可能に連結されている。携帯電話機２は、ヒンジ機構２３を介して連結された操作部側筐体２１と表示部側筐体２２とを相対的に回転（回動）することにより、操作部側筐体２１と表示部側筐体２２とが互いに開いた状態（開放状態）にしたり、操作部側筐体２１と表示部側筐体２２とを折り畳んだ状態（折畳み状態）にしたりできる。
【００３０】
図３は、携帯電話機２を折り畳んだ状態の外観斜視図を示す。図３に示すように、携帯電話機２は、折り畳んだ状態において外側に配置される外側操作ボタン群２５と、表示部側筐体２２の外側面２２ｂの略中央に配置される外側表示部２８と、を備える。外側操作ボタン群２５は、表示部側筐体２２の外側表示部２８を囲むように配置され、各種操作における決定やスクロール等を行うと共に再生する楽曲の選択や決定を行う決定操作ボタン２５ａと、各種設定や電話帳機能やメール機能等の各種機能を作動させるための機能設定操作ボタン２５ｂ、２５ｃと、を備える。ここで、外側操作ボタン群２５と、外側表示部２８とは、図１に示すクレードル３に載置された状態おいても外側に露出される。なお、本実施形態において、いわゆる折り畳み型の携帯電話装置の形態を示しているが、本発明に係る携帯電話装置の形態としては特にこれに限られない。
【００３１】
図４は、置き台としてのクレードル３の外観斜図を示す。図５は、図４のクレードル３における断面を説明する図である。図６は、クレードル３におけるクレードル側端子群が突出する機構を説明する図である。図４に示すように、クレードル３は、携帯電話機２を載置する凹状の載置部３１と、載置部３１の底面３３から同じ高さに配置されるクレードル側端子群４１と、を備える。ここで、携帯電話機２は、図３における載置面２００が底面３３に当接するように載置されると共に、操作部側筐体２１の外側面２１ｂがクレードル側端子群４１側に向くようして載置される。
【００３２】
図５に示すように、クレードル３は、内部に配置される不図示のスピーカと、底面５０に配置されスピーカから出力される音波を外方に放音する複数のスピーカ孔５１を備える。また、クレードル３は、内部に配置されクレードル側端子群４１を保持する保持部材３２を備える。
【００３３】
図６に示すように、保持部材３２は、表面の一端側に配置される突起部４０と、クレードル側端子群４１を保持する保持部４５、４６と、保持部４５、４６に形成されクレードル側端子群４１が裏面側から表面側に突出する開口部４５ａ、４６ａと、側面に配置される回動軸４９と、を備える。図５に示すように、保持部材３２は、不図示の軸受け部に回動軸４９を軸支された状態で配置される。
【００３４】
クレードル側端子群４１は、音響信号入力端子４１ａと、制御信号入力端子４１ｂと、給電端子４１ｃと、グランド受け端子４１ｄと、により構成される。音響信号入力端子４１ａと、制御信号入力端子４１ｂとは、開口部４５ａから突出するように配置され、給電端子４１ｃと、グランド受け端子４１ｄとは開口部４６ａから突出するように配置される。そして、クレードル側端子群４１において、グランド受け端子４１ｄの先端が最も突出するように構成される。
【００３５】
また、それぞれの端子は、針金状の部材を折り曲げて一方側に突出するように形成されると共に、それぞれの端子部分と連続する所定部が図５における固定軸５３の外周に巻かれるようにして配置される。これにより、それぞれの端子は、固定軸５３を固定点として弾性変形し、いわゆるバネ端子として機能する。
【００３６】
図６に示すように、クレードル側端子群４１は、突起部４０と回動軸４９を挟んだ他端側に配置される。そして、保持部材３２における突起部４０と、クレードル側端子群４１とは、クレードル３の内部から外部（載置部３１内）に突出可能に構成される。具体的には、図５に示すように、突起部４０は、凹状の載置部３１における底面に形成される突起用開口部４０ａから突出可能に配置され、クレードル側端子群４１は、載置部３１の側面に形成される端子用開口群４１０から突出可能に配置される。また、保持部材３２は、突起部４０が載置部３１の底面から突出する方向に不図示の付勢部材により付勢される。
【００３７】
ここで、携帯電話機２をクレードル３に載置する際における保持部材３２の動作を説明する。まず、図３に示す折り畳んだ状態の携帯電話機２をクレードル３における凹状の載置部３１に挿入するように載置することで、携帯電話機２の載置面２０が、載置部３１の底面３３に突出して配置される突起部４０をクレードル３の内部側に押し下げる。これにより、図６に示すように、保持部材３２における突起部４０側が矢印Ｆ１方向に回動軸４９を中心に回動すると共に、突起部４０における反対側の端部が矢印Ｆ２方向に回動する。この回動動作により、クレードル側端子群４１は、載置部３１の側面から載置部３１内に突出して、携帯電話機側端子群にそれぞれ電気的に接続される。
【００３８】
図７は、音響装置１の電気的構成を説明するブロック図である。図７に示すように、音響装置１は、クレードル３が携帯電話機２に対して所定の充電を行うと共に、携帯電話機２からクレードル３に音響信号及び制御信号が出力されるよう構成される。
【００３９】
具体的には、携帯電話機２は、高周波電磁波を受信するアンテナ２０５と、受信した高周波電磁波を増幅して音声データに復調する無線部２１０と、不図示のバッテリと、を備える。また、携帯電話機２は、表示部２７、２８と、操作ボタン群２４、２５と、記憶部２３０と、所定の音楽データを音響信号に変換する再生部２４０と、これらを制御する制御部２２０と、再生部２４０からの音響信号を音波として出力するスピーカ２５０と、を備える。
【００４０】
クレードル３は、増幅部３１０と、増幅部３１０で増幅された音響信号を音波として出力するスピーカ３２０と、増幅部３１０に電力を供給すると共に携帯電話機２を充電するための一次電源と不図示のＡＣアダプタを介して接続される電源端子３３０と、を備える。
【００４１】
音響装置１において、携帯電話機２とクレードル３とは、携帯電話機側端子群６１とクレードル側端子群４１とが電気的に接続される。具体的には、携帯電話機２は、再生部２４０からの音響信号を出力する音響信号出力端子６１ａと、制御部２２０から増幅部３１０を制御する制御信号を出力する制御信号出力端子６１ｂと、不図示のバッテリを充電するための充電端子６１ｃと、グランド端子６１ｄと、を備える。クレードル３は、増幅部３１０に音響信号を入力する音響信号入力端子４１ａと、増幅部３１０に制御信号を入力する制御信号入力端子４１ｂと、電源端子３３０から供給される電力を携帯電話機２に供給する給電端子４１ｃと、グランド受け端子４１ｄと、を備える。そして、音響信号出力端子６１ａと音響信号入力端子４１ａとが電気的に接続され、制御信号出力端子６１ｂと制御信号入力端子４１ｂとを電気的に接続され、充電端子６１ｃと給電端子４１ｃとが電気的に接続され、グランド端子６１ｄとグランド受け端子４１ｄとが電気的に接続される。これにより、携帯電話機２から出力される音響信号及び制御信号が、増幅部３１０に入力される。そして、クレードル３において、増幅部３１０は制御信号により制御されると共に、増幅された音響信号がスピーカ３２０から音波として出力される。
【００４２】
ここで、音響装置１の動作を図８のフローチャートに基づいて説明する。まず、ステップＳ１により、図２に示す携帯電話機２の内側操作ボタン群２４を操作して、内側表示部２７に表示される楽曲リストから所定の楽曲を選択・決定して、携帯電話機２において音楽を再生する指示を行うと、記憶部２３０に記憶される楽曲データが再生部２４０により音響信号に変換され、スピーカ２５０により放音される。
【００４３】
次いで、ステップＳ２により、図３のように携帯電話機２を折り畳んで、図１のようにクレードル３の載置部３１に載置する。ステップＳ３により、携帯電話機２の載置面２０が載置部３１の底面３３から突出する突起部４０を押し下げる。この突起部４０が押し下げられることで、クレードル側端子群４１が載置部３１内に突出する。
【００４４】
ステップＳ４により、最初にグランド受け端子４１ｄがグランド端子６１ｄに当接して電気的に接続される。続いて、ステップＳ５により、音響信号入力端子４１ａが音響信号出力端子６１ａに当接して電気的に接続される。同時に、制御信号入力端子４１ｂが制御信号出力端子６１ｂに当接し電気的に接続される。また、同時に給電端子４１ｃが充電端子６１ｃに当接して電気的に接続される。
【００４５】
ステップＳ６により、携帯電話機２における不図示のバッテリの充電が開始されると共に、制御部２２０の作用下で再生部２４０から低音域の音響信号が音響信号出力端子６１ａを介して増幅部３１０に出力される。
【００４６】
ステップＳ７により、中高音域の音響信号は携帯電話機２側のスピーカ２５０で放音され、低音域の音響信号はクレードル３側のスピーカ３２０で放音される。ここで、低音域と中高音域とは、例えば、１ＫＨｚを基準として分けることができる。
【００４７】
ステップＳ８により、図１に示す外側操作ボタン群２５により、再生中の画曲と異なる楽曲を外側表示部２８を見ながら選択・決定し、楽曲を変更する。変更した楽曲についても低音域がクレードル３側のスピーカ３２０から放音され、中高音域が携帯電話機２側のスピーカ２５０から放音される。
【００４８】
ステップＳ９により、携帯電話機２をクレードル３から離間させる。ステップＳ１０により音響信号入力端子４１ａが音響信号出力端子６１ａから離間する。同時に、制御信号入力端子４１ｂが制御信号出力端子６１ｂから離間する。また、同時に給電端子４１ｃが充電端子６１ｃから離間する。そして、ステップＳ１２により、最後にグランド受け端子４１ｄがグランド端子６１ｄから離間する。
【００４９】
ステップ１２により、制御部２２０の作用下で再生部２４０は、全音域の音響信号を携帯電話機２側のスピーカ２５０に出力する。これにより、楽曲における全音域が携帯電話機２側のスピーカ２５０から放音される。
【００５０】
本実施形態によれば、携帯電話機２とクレードル３とを含み、携帯電話機２からクレードル３の増幅部３１０を制御する制御信号を、クレードル３側に出力する音響装置１を提供することができる。更には、グランド端子６１ｄとグランド受け端子４１ｄとの電気的接続が、制御信号出力端子６１ｂと制御信号入力端子４１ｂとの電気的接続よりも早くなされるよう構成される音響装置１を提供することができる。これにより、よって、携帯端末装置を置き台へ戴置する際におけるスピーカからのポップ音等のノイズ発生を抑制できる。
【００５１】
また、携帯電話機２をクレードル３に載置した際、携帯電話機２側のスピーカ２５０から中高音域を放音し、クレードル３側のスピーカ３２０から低音域を放音することで、全音域をカバーできると共に、バランスのよい音響特性を実現することができる。
【００５２】
また、クレードル３のスピーカ３２０から低音域を放音するように構成することで、クレードル３の底面５０を向くようにスピーカ３２０を配置できると共に、底面５０にスピーカ孔５１を設けることができる。これにより、クレードル３におけるデザイン性の自由度が向上すると共に、フラットな底面５０から放音することで全方位へ出力できる。更に、クレードル３における防塵性、防滴性が向上する。
【００５３】
以上、本形態の好適な実施形態について説明したが、本発明は上述した実施形態に限定されることなく種々の形態で実施することができる。例えば、本実施形態において、グランド端子６１ｄとグランド受け端子４１ｄとの電気的接続が、制御信号出力端子６１ｂと制御信号入力端子４１ｂとの電気的接続よりも早くなされる構成として、クレードル３側のグランド受け端子４１ｄの先端が最も突出するように構成しているが、これに限らず、携帯電話機２側のグランド端子６１ｄの端子面が制御信号出力端子６１ｂの端子面より突出ように構成したり、グランド受け端子４１ｄが制御信号入力端子４１ｂよりも上方に突出するように構成して、最初にグランド端子６１ｄとグランド受け端子４１ｄとが接続されるようにすればよい。
【００５４】
また、本実施形態において、クレードル側端子群４１は、携帯電話機２を載置する際に突出するよう構成されるが、これに限らず、クレードル側端子群４１が載置部３１内に固定さていてもよい。この場合、グランド受け端子４１ｄの底面３３からの高さは、制御信号入力端子４１ｂの底面３３からの高さよりも高くなるよう構成する。これにより、携帯電話機２をクレードル３の載置部３１に挿入するように載置する際、グランド端子６１ｄとグランド受け端子４１ｄとの電気的接続が、制御信号出力端子６１ｂと制御信号入力端子４１ｂとの電気的接続よりも早くなされる。
【００５５】
また、携帯電話機２側のグランド端子６１ｄの載置面２０からの距離を、制御信号出力端子６１ｂの載置面２０からの距離よりも短くすることで、制御信号出力端子６１ｂと制御信号入力端子４１ｂとの電気的接続よりも早くなされる。例えば、グランド端子６１ｄのみ載置面２０に近い位置に配置することや、グランド端子６１ｄが載置面２０に近い位置に配置されるよう端子群を斜めに配列して配置することができる。
【図面の簡単な説明】
【００５６】
【図１】本発明の一実施形態における音響装置の外観斜視図を示す。
【図２】携帯電話機を開いた状態の外観斜視図を示す。
【図３】携帯電話機を折り畳んだ状態の外観斜視図を示す。
【図４】クレードルの外観斜図を示す。
【図５】図４のクレードルにおける断面を説明する図である。
【図６】クレードルにおけるクレードル側端子群が突出する機構を説明する図である。
【図７】音響装置の電気的構成を説明するブロック図である。
【図８】音響装置の動作を説明するフローチャートである。
【符号の説明】
【００５７】
１      音響装置
２      携帯電話機
３      クレードル
２０    載置面
２１    操作部側筐体
２２    表示部側筐体
３１    載置部
３２    保持部材
３３    底面（載置部３１の底面）
４１ａ  音響信号入力端子
４１ｂ  制御信号入力端子
４１ｃ  給電端子
４１ｄ  グランド受け端子
５０    底面（クレードル３の底面）
６１ａ  音響信号出力端子
６１ｂ  制御信号出力端子
６１ｃ  充電端子
６１ｄ  グランド端子
２２０  制御部
２５０  スピーカ（携帯電話機２側）
３１０  増幅部
３２０  スピーカ（クレードル３側）
３３０  電源端子
【図１】
2008085833.tif 000003
【図２】
2008085833.tif 000004
【図３】
2008085833.tif 000005
【図４】
2008085833.tif 000006
【図５】
2008085833.tif 000007
【図６】
2008085833.tif 000008
【図７】
2008085833.tif 000009
【図８】
2008085833.tif 000010